(57)【特許請求の範囲】
【請求項１】
定着部材と、該定着部材の外周面に当接して該定着部材の回転に従動して回転する離型剤塗布部材と、該離型剤塗布部材に当接して該離型剤塗布部材の回転に従動して回転する離型剤供給部材と、回転する離型剤供給部材に摺接して該離型剤供給部材に離型剤を塗布する離型剤保持部材と、前記定着部材が定着動作時の回転方向と逆方向に回転し、これに従動して前記離型剤塗布部材が回転したとき、該離型剤塗布部材の回転に従動して前記離型剤供給部材が回転することを禁止する回転規制手段とを具備して成る定着装置。
【請求項２】
互いに対をなした定着部材の間のニップ部にトナー像を担持した記録媒体を通過させ、その通過時にトナー像のトナーに熱と圧力を加えて該トナー像を記録媒体に定着するように構成すると共に、少なくとも１つの定着部材の外周面に前記離型剤塗布部材を当接させ、該離型剤塗布部材に前記離型剤供給部材を当接させ、さらに該離型剤供給部材に前記離型剤保持部材を当接させた請求項１に記載の定着装置。
【請求項３】
一方の定着部材が定着ローラより成り、他方の定着部材が加圧ローラより成り、該定着ローラと加圧ローラの間のニップ部に、トナー象を担持した記録媒体を通過させ、その通過時にトナー像のトナーに熱と圧力を加えて該トナー像を記録媒体に定着する請求項２に記載の定着装置。
【請求項４】
一方の定着部材が、複数の支持ローラに巻き掛けられて回転する無端状の定着ベルトより成り、他方の定着部材が加圧ローラより成り、該定着ベルトと加圧ローラの間のニップ部に、トナー象を担持した記録媒体を通過させ、その通過時にトナー像のトナーに熱と圧力を加えて該トナー像を記録媒体に定着する請求項２に記載の定着装置。
【請求項５】
請求項１乃至４のいずれかに記載の定着装置を備えていることを特徴とする画像形成装置。
【発明の詳細な説明】
【０００１】
【発明の属する技術分野】
本発明は、回転する定着部材に記録媒体を通過させ、このときトナー像のトナーに熱と圧力を加え、該トナー像を記録媒体に定着する定着装置と、該定着装置を有する画像形成装置に関するものである。
【０００２】
【従来の技術】
電子複写機、プリンタ、ファクシミリ或いはこれらの少なくとも２つの機能を備えた複合機などとして構成される画像形成装置に上記形式の定着装置を採用することは従来より周知である。かかる定着装置においては、その定着部材の周面にトナーが付着すると、当該トナーが、定着部材を通過する記録媒体に付着して該記録媒体がトナーで汚されるおそれがある。そこで、定着部材の周面に離型剤を塗布することが従来より行われている。定着部材に離型剤を塗布する方式としては各種考えられるが、その１つとして、定着部材の外周面に離型剤塗布部材を当接させ、定着部材の回転に従動させてその離型剤塗布部材を回転させ、さらにその離型剤塗布部材に離型剤供給部材を当接させ、離型剤塗布部材の回転に従動させてその離型剤供給部材を回転させると共に、その離型剤供給部材に離型剤保持部材を当接させ、離型剤を、離型剤保持部材から離型剤供給部材と離型剤塗布部材を介して定着部材の周面に供給する方式が考えられる。
【０００３】
ところが、上記構成を採用すると、記録媒体がジャムを起こし、これを処理するときなどに、定着部材を定着動作時の回転方向と逆方向に回転させたとき、離型剤供給部材と離型剤保持部材との間に溜まったトナーや紙粉などの異物が、離型剤供給部材の回転に伴って、その離型剤供給部材と離型剤塗布部材との間に運ばれ、これによって定着部材に離型剤を安定状態で供給できなくなるおそれがある。
【０００４】
【発明が解決しようとする課題】
本発明の目的は、上記欠点を除去した定着装置と、該定着装置を有する画像形成装置を提供することにある。
【０００６】
【課題を解決するための手段】
本発明は、上記目的を達成するため、定着部材と、該定着部材の外周面に当接して該定着部材の回転に従動して回転する離型剤塗布部材と、該離型剤塗布部材に当接して該離型剤塗布部材の回転に従動して回転する離型剤供給部材と、回転する離型剤供給部材に摺接して該離型剤供給部材に離型剤を塗布する離型剤保持部材と、前記定着部材が定着動作時の回転方向と逆方向に回転し、これに従動して前記離型剤塗布部材が回転したとき、該離型剤塗布部材の回転に従動して前記離型剤供給部材が回転することを禁止する回転規制手段とを具備して成る定着装置を提案する（請求項１）。
【０００７】
その際、互いに対をなした定着部材の間のニップ部にトナー像を担持した記録媒体を通過させ、その通過時にトナー像のトナーに熱と圧力を加えて該トナー像を記録媒体に定着するように構成すると共に、少なくとも１つの定着部材の外周面に前記離型剤塗布部材を当接させ、該離型剤塗布部材に前記離型剤供給部材を当接させ、さらに該離型剤供給部材に前記離型剤保持部材を当接させるように構成することができる（請求項２）。
【０００８】
また、上記請求項２に記載の定着装置において、一方の定着部材が定着ローラより成り、他方の定着部材が加圧ローラより成り、該定着ローラと加圧ローラの間のニップ部に、トナー象を担持した記録媒体を通過させ、その通過時にトナー像のトナーに熱と圧力を加えて該トナー像を記録媒体に定着するように構成することもできる（請求項３）。
【０００９】
さらに、上記請求項２に記載の定着装置において、一方の定着部材が、複数の支持ローラに巻き掛けられて回転する無端状の定着ベルトより成り、他方の定着部材が加圧ローラより成り、該定着ベルトと加圧ローラの間のニップ部に、トナー象を担持した記録媒体を通過させ、その通過時にトナー像のトナーに熱と圧力を加えて該トナー像を記録媒体に定着するように構成することもできる（請求項４）。
【００１０】
また、本発明は、上記目的を達成するため、請求項１乃至４のいずれかに記載の定着装置を備えていることを特徴とする画像形成装置を提案する（請求項５）。
【００１１】
【発明の実施の形態】
以下、本発明の実施形態例を図面に従って詳細に説明し、併せて前述の不具合を図面に即してより具体的に明らかにする。
【００１２】
図１は図示していない画像形成装置本体内に配置された定着装置の一例を示す断面図である。ここに示した定着装置１０は定着ローラ１として構成された定着部材と、加圧ローラ２として構成された定着部材の２つの定着部材を有し、定着ローラ１と加圧ローラ２は、図示していない駆動装置によって、それぞれ矢印Ａ，Ｂ方向に回転駆動される。また定着ローラ１と加圧ローラ２の内部には、例えばハロゲンランプより成る熱源６，６Ａがそれぞれ配置され、その各熱源６，６Ａへの通電により各熱源６，６Ａが発熱し、これによって定着ローラ１と加圧ローラ２がトナー像の定着に適した温度に加熱される。
【００１３】
定着ローラ１と加圧ローラ２は適宜な形態に構成でき、例えば、中空の芯金に２mm厚のシリコーンゴム製弾性層を設け、その外側に１０μｍ厚のフッ素ゴム層を積層し、さらにその上に７０μｍ厚の高離型性シリコーンゴム層を積層した直径４５mm程のローラを定着ローラ１及び加圧ローラ２として用いることができる。中間のフッ素ゴム層は、シリコーンゴム製弾性層が後述するシリコーンオイルによって膨潤することを防止する働きをなす。
【００１４】
転写紙又は樹脂フィルムなどから成る記録媒体Ｐには、画像形成装置本体内の図示していない作像部においてトナー像Ｔが形成され、かかるトナー像を担持した記録媒体Ｐは、矢印Ｃで示すように、互いに当接しながら矢印Ａ，Ｂ方向に回転する定着ローラ１と加圧ローラ２との間のニップ部に送り込まれて、ここを通過し、その通過時にトナー像Ｔが定着ローラ１の周面に接触して、そのトナーに熱と圧力が加えられ、当該トナーが溶融することにより、トナー像Ｔが記録媒体Ｐ上に定着される。ニップ部を通過した記録媒体Ｐは、さらに搬送されて定着装置１０外に排出される。
【００１５】
上述のように定着動作が行われるとき、記録媒体Ｐ上のトナーが定着ローラ１の周面に多量に付着してしまうと、そのトナーが再び記録媒体に付着してその記録媒体がトナーで汚されてしまう不具合を免れない。そこで、本例の定着装置１０は、次に説明する離型剤塗布装置２０が設けられ、これによって定着ローラ１の周面に離型剤を塗布するように構成されている。
【００１６】
先ず、定着ローラ１の外周面にはローラにより構成された離型剤塗布部材４が当接しており、この離型剤塗布部材４は、定着ローラ１が矢印Ａ方向に回転するとき、その回転に従動して矢印Ｄ方向に回転できるように支持されている。また、離型剤塗布部材４には、ローラにより構成された離型剤供給部材５が当接し、この離型剤供給部材５も、離型剤塗布部材４が矢印Ｄ方向に回転するとき、その回転に従動して矢印Ｅ方向に回転できるように支持されている。さらに、離型剤供給部材５には、離型剤を保持できるフェルトや発泡体の如き多孔質体などから構成された離型剤保持部材７が当接し、この離型剤保持部材７は離型剤供給部材５が回転することにより、その離型剤供給部材５の外周面に摺接する。一方、離型剤容器８には、例えばシリコーンオイルより成る液状の離型剤Ｌが収容され、その離型剤Ｌが、フェルトや発泡体の如き多孔質体などから成る離型剤汲み上げ部材９によって離型剤保持部材７に供給される。離型剤保持部材７と離型剤汲み上げ部材９を１つの部材によって構成することもできる。
【００１７】
上述のようにして離型剤保持部材７に供給された離型剤は、矢印Ｅ方向に回転する離型剤供給部材５の周面に移行し、次いでその離型剤供給部材５から、矢印Ｄ方向に回転する離型剤塗布部材４の周面に移行し、さらに矢印Ａ方向に回転する定着ローラ１の外周面に移行して、その表面に塗布される。これにより、定着ローラ１の周面にトナーが付着する現象が抑えられる。それでも定着ローラ１の表面に付着したトナー、或いは紙粉などの異物は、定着ローラ１の外周面に当接したクリーニングローラ３によって除去される。
【００１８】
上述のようにして、定着ローラ１の外周面に離型剤が塗布されるが、その際、記録媒体Ｐが連続的に定着ローラ１と加圧ローラ２との間のニップ部に送り込まれ、定着ローラ１上の離型剤が不足してくると、定着ローラ１と離型剤塗布部材４との間の摩擦係数が上昇し、離型剤塗布部材４の回転速度が速くなり、その離型剤塗布部材４上の離型剤が定着ローラ１の外周面に多量に塗布され、定着ローラ１上の離型剤不足が解消される。同様に離型剤塗布部材４上の離型剤が不足すると、その離型剤塗布部材４と離型剤供給部材５との間の摩擦係数が上昇し、離型剤供給部材５が高速で回転して、離型剤供給部材５上の離型剤が離型剤塗布部材４上に多量に供給される。さらに、離型剤供給部材５の回転が速くなるほど、離型剤保持部材７と離型剤供給部材５との摺接部において、離型剤保持部材７から多量の離型剤が離型剤供給部材５上に受け渡される。また定着ローラ１や離型剤塗布部材４の外周面上に多量の離型剤が存在するときは、離型剤塗布部材４や離型剤供給部材５の回転が遅くなり、定着ローラ１への離型剤の塗布量が制限される。
【００１９】
上述のように、定着ローラ１と、離型剤塗布部材４と、離型剤供給部材５と、離型剤を保持した離型剤保持部材７のそれぞれの離型剤保持量によって、それぞれの間の摩擦係数が変化することを利用して、定着ローラ１の周面に自動的に適量の離型剤を塗布することができ、その定着ローラ１の周面上の離型剤の量が過多となったり過少となることを防止できる。
【００２０】
図２に示した定着装置１０は、一方の定着部材が、複数の支持ローラ１１，１２，１３に巻き掛けられて矢印Ａ方向に回転駆動される無端ベルト状の定着ベルト１４に構成され、この定着ベルト１４は表面に離型層を有している。かかる定着ベルト１４を支持する複数の支持ローラのうちの１つの支持ローラ１１は、芯金の外周面に弾性層を設けたローラより成る。この支持ローラ１１に対して、他方の定着部材を構成する加圧ローラ２が定着ベルト１４を介して圧接し、これによって定着ベルト１４と加圧ローラ２との間にニップ部が形成される。加圧ローラ２は矢印Ｂ方向に回転駆動される。また、他の支持ローラ１２の内部には、例えばハロゲンランプより成る熱源６Ｂが配置され、その熱源６Ｂへの通電によって熱源６Ｂが発熱し、これによって定着ベルト１４が加熱される。加圧ローラ２の内部にも熱源６Ａが設けられ、これにより加圧ローラ２が加熱される。定着ベルト１４は、例えば、９０μｍ厚のポリイミド樹脂より成る基材の表面に２００μｍの厚さの高離型性シリコーンゴムより成る離型層を被覆した無端ベルトより成る。
【００２１】
トナー像Ｔを担持した記録媒体Ｐは、矢印Ｃで示すように、矢印Ａ方向に回転する定着ベルト１４と、矢印Ｂ方向に回転する加圧ローラ２との間のニップ部に送り込まれ、ここを通過する。このとき、トナー像が定着ベルト１４の表面に接触してそのトナーに熱と圧力が加えられ、当該トナーが溶融して、そのトナー像が記録媒体Ｐ上に定着される。
【００２２】
上述の定着動作が行われるとき、定着ベルト１４の表面にトナーが多量に移行すると、記録媒体をトナーで汚すことになるため、図２に示した定着装置１０にも、図１に示した定着装置と全く同様に、定着ベルト１４の表面に当接したクリーニングローラ３と、離型剤塗布装置２０が設けられている。図２に示した離型剤塗布装置２０は、その離型剤塗布部材４が、定着ローラ１の周面ではなく、定着ベルト１４の外周面に当接している点以外は、図１に示した離型剤塗布装置と変わりはない。よって、図２に示した離型剤塗布装置２０の図１に示した各要素に対応した各要素には、図１に付した符号と同一の符号を付して、その説明を省略する。図２に示した離型剤塗布装置２０によっても、定着ベルト１４上に自動的に適量の離型剤を塗布することができる。
【００２３】
以上のように、定着装置は、定着部材（図１の例では定着ローラ１、図２の例では定着ベルト１４）と、その定着部材の外周面に当接して該定着部材の回転に従動して回転する離型剤塗布部材と、該離型剤塗布部材に当接して該離型剤塗布部材の回転に従動して回転する離型剤供給部材と、回転する離型剤供給部材に摺接して該離型剤供給部材に離型剤を塗布する離型剤保持部材とを有している。
【００２４】
ところで、図１及び図２に示した定着装置１０には、クリーニングローラ３が設けられていて、定着ローラ１又は定着ベルト１４上に付着した微量のトナーや紙粉などの異物は、クリーニングローラ３によって除去されるが、極く微量の異物がクリーニングローラ３をすりぬけて、離型剤塗布部材４に付着し、さらに、この異物は離型剤供給部材５の周面に移行する。これにより、図３に示すように、離型剤供給部材５の回転方向に関して離型剤保持部材７よりも上流側の楔状空間に、トナーと紙粉より成る異物Sが蓄積する。特に、記録媒体として、再生紙や海外紙などの紙粉の多い紙を使用すると、離型剤供給部材５と離型剤保持部材７の間に蓄積される異物Sの量が増大する。
【００２５】
上述した状態で、定着装置１０において記録媒体Pがジャムを起こしたとき、加圧ローラ２と、定着ローラ１又は定着ベルト１４の回転が停止する。そこで、オペレータは、手操作によって、定着ローラ１又は定着ベルト１４を、定着動作時の回転方向とは逆の方向、すなわち矢印Ａと反対方向に回転してジャムした記録媒体を除去することができる。このとき、仮に、離型剤塗布部材４が定着ローラ１又は定着ベルト１４の回転に従動して矢印Dと反対の方向に回転し、これに伴って離型剤供給部材５が矢印Eと反対の方向に従動回転したとすると、図４に示すように、上述の異物Sが、離型剤供給部材５の回転に伴って運ばれ、その離型剤供給部材５と離型剤塗布部材４とのニップ部に挟まれる。この状態で、定着動作を再開したとすると、離型剤塗布部材４と離型剤供給部材５との間の摩擦係数の変化によって、前述のように離型剤の供給量を調整する機能がうまく働かなくなり、定着ローラ１又は定着ベルト１４に適量の離型剤を安定して供給することができなくなる。また、離型剤塗布部材４と離型剤供給部材５との間に挟まれた異物の量が多いときは、これらの部材４，５がロックし、定着ローラ１又は定着ベルト１４に離型剤を全く供給できなくなり、場合にによっては、離型剤供給部材５、離型剤塗布部材４などが破損するおそれもある。また、この異物が定着ローラ１又は定着ベルト１４にまで移行すると、定着動作を再開したときに、その異物が記録媒体上に付着して、記録媒体を汚してしまうおそれもある。
【００２６】
上述した不具合の発生を阻止するため、図１及び図２に示す定着装置１０には、定着部材（図１の例では定着ローラ１、図２の例では定着ベルト１４）が定着動作時の回転方向と逆方向に回転したとき、該定着部材の回転に従動して離型剤塗布部材４が回転することを禁止する回転規制手段が設けられている。例えば、離型剤塗布部材４の軸受にワンウェイクラッチ（図示せず）を設け、離型剤塗布部材４が矢印Ｄ方向とは反対の方向に回転しないように構成するのである。かかる構成により、ジャム処理時などに定着ローラ１又は定着ベルト１４を矢印Ａと反対の方向に回転させても、離型剤塗布部材４は回転せず、従って離型剤供給部材５も回転することはないので、図３に示した異物Ｓが離型剤供給部材５と離型剤塗布部材４との間のニップ部に運ばれることはなく、上述した不具合の発生を阻止することができる。
【００２７】
上述した構成に代え、定着部材（図１の例では定着ローラ１、図２の例では定着ベルト１４）が定着動作時の回転方向と逆方向に回転し、これに従動して離型剤塗布部材４が回転したとき、該離型剤塗布部材４の回転に従動して離型剤供給部材５が回転することを禁止する回転規制手段を設けても、上述した構成と同様の効果を奏することができる。例えば、離型剤供給部材５の軸受にワンウェイクラッチ（図示せず）を設け、離型剤供給部材５が矢印Ｅ方向とは反対の方向に回転しないように構成するのである。かかる構成によっても、ジャム処理時などに定着ローラ１又は定着ベルト１４を矢印Ａと反対の方向に回転させ、離型剤塗布部材４が矢印Ｄと反対の方向に従動回転しても、離型剤供給部材５が矢印Ｅと反対の方向に回転することはないので、図３に示した異物Ｓが離型剤供給部材５と離型剤塗布部材４との間のニップ部に移動することはなく、前述の不具合が発生することはない。
【００２８】
上述のように、離型剤保持部材７と離型剤供給部材５との間に異物Ｓが蓄積しても、その異物Ｓを常に図３に示した一定の個所に留まった状態にすることができ、定着ローラ１又は定着ベルト１４に離型剤を経時で安定して供給することができる。また、離型剤供給部材５及び離型剤塗布部材４や、定着ローラ１又は定着ベルト１４が異物に起因して破損したり、またその異物が記録媒体に付着する不具合の発生を阻止できる。
【００２９】
従って、上述した定着装置１０を有する画像形成装置によって、常に高品質な画像を形成することが可能となる。
【００３０】
図１及び図２に示した定着装置１０は一対の定着部材を有しており、その一対の定着部材のうちの一方の定着部材に離型剤塗布装置２０を設けたが、両方の定着部材に、上述した構成の離型剤塗布装置を設けることもできる。特に、記録媒体の両面に未定着トナー像を転写し、その両トナー像を定着装置によって定着する画像形成装置においては、両方の定着部材に離型剤塗布装置をそれぞれ設け、いずれの定着部材にもトナーが移行し難くなるように構成することが好ましい。
【００３１】
上述のように、互いに対をなした定着部材の間のニップ部にトナー像を担持した記録媒体を通過させ、その通過時にトナー像のトナーに熱と圧力を加えて該トナー像を記録媒体に定着するように構成すると共に、少なくとも１つの定着部材の外周面に前述の離型剤塗布部材を当接させ、該離型剤塗布部材に前述の離型剤供給部材を当接させ、さらに該離型剤供給部材に前述の離型剤保持部材を当接させるのである。
【００３２】
その際、図１に示した定着装置は、一方の定着部材が定着ローラより成り、他方の定着部材が加圧ローラより成り、該定着ローラと加圧ローラの間のニップ部に、トナー象を担持した記録媒体を通過させ、その通過時にトナー像のトナーに熱と圧力を加えて該トナー像を記録媒体に定着するように構成され、図２に示した定着装置は、一方の定着部材が、複数の支持ローラに巻き掛けられて回転する無端状の定着ベルトより成り、他方の定着部材が加圧ローラより成り、該定着ベルトと加圧ローラの間のニップ部に、トナー象を担持した記録媒体を通過させ、その通過時にトナー像のトナーに熱と圧力を加えて該トナー像を記録媒体に定着するように構成されているが、本発明は、かかる構成以外の各種形態の定着装置にも広く適用できるものである。例えば、互いに対をなした定着部材が、共に無端状の定着ベルトより成る定着装置、一方の定着部材が回転しない部材より成る定着装置、或いは記録媒体を無端ベルトより成る像担持体に重ね合わせて搬送し、その像担持体と記録媒体を、共に対をなした定着部材のニップ部に通過させて記録媒体に転写されたトナー像を定着する定着装置などにも本発明を支障なく適用することができる。
【００３３】
【発明の効果】
本発明によれば、離型剤供給部材と離型剤保持部材の間に異物が溜まっても、定着部材に離型剤を安定状態で供給することができる。
【図面の簡単な説明】
【図１】定着装置の一例を示す断面図である。
【図２】定着装置の他の例を示す断面図である。
【図３】離型剤保持部材と離型剤供給部材との間の楔状空間に異物が蓄積した状態を示す図である。
【図４】異物が離型剤供給部材と離型剤塗布部材の間に運ばれたときの様子を示す図である。
【符号の説明】
１  定着ローラ
２  加圧ローラ
４  離型剤塗布部材
５  離型剤供給部材
７  離型剤保持部材
１０  定着装置
１１  支持ローラ
１２  支持ローラ
１３  支持ローラ
１４  定着ベルト
Ｐ  記録媒体
Ｔ  トナー像
【図１】
0004125031.tif 000002
【図２】
0004125031.tif 000003
【図３】
0004125031.tif 000004
【図４】
0004125031.tif 000005